(57)【要約】【課題】排出される媒体を媒体サイズに応じて適正に揃えることができると共に、不使用時には揃え部材を適正に格納することができる媒体揃え装置及び画像読取装置を提供する。【解決手段】載置手段１１０に媒体の排出方向に沿って回動自在に支持されると共に、載置面１１１から突出して媒体を揃える第１揃え位置と、収容部１３０に収容される第１待機位置との間を回動可能な第１回動規制手段１５０と、第１回動規制手段１５０に媒体の排出方向に沿って回動自在に支持されると共に、第１回動規制手段１５０が第１待機位置にある際に、排出方向に対して第１待機位置より上流側で載置面１１１から突出して媒体を揃える第２揃え位置と、収容部１３０に収容される第２待機位置との間を回動可能な第２回動規制手段１７０とを備える。【選択図】図１
2008312043.tif 000002
【特許請求の範囲】
【請求項１】
排出部から排出される複数サイズの媒体を載置面上の前記サイズに応じた所定位置に揃える媒体揃え装置において、
前記載置面が形成されると共に該載置面に凹部状の収容部が形成された載置手段と、
前記載置手段に前記媒体の排出方向に沿って回動自在に支持されると共に、前記載置面から突出して前記媒体を揃える第１揃え位置と、前記収容部に収容される第１待機位置との間を回動可能な第１回動規制手段と、
前記第１回動規制手段に前記媒体の排出方向に沿って回動自在に支持されると共に、前記第１回動規制手段が前記第１待機位置にある際に、前記排出方向に対して前記第１待機位置より上流側で前記載置面から突出して前記媒体を揃える第２揃え位置と、前記収容部に収容される第２待機位置との間を回動可能な第２回動規制手段とを備えることを特徴とする、
媒体揃え装置。
【請求項２】
前記第１回動規制手段は、前記載置手段に支持にされる基端部を回動中心として回動する一方、
前記第２回動規制手段は、前記第１回動規制手段の先端部に支持される基端部を回動中心として回動し、
前記第１回動規制手段及び前記第２回動規制手段は、ともに板状に形成され、前記回動中心が前記排出方向に直交する方向に沿った水平な回動軸線をなすことを特徴とする、
請求項１に記載の媒体揃え装置。
【請求項３】
前記第１回動規制手段の前記第１揃え位置及び前記第２回動規制手段の前記第２揃え位置は、前記媒体と当接する当接面がともに前記排出部に対向する位置に設定され、前記第２回動規制手段の前記第２揃え位置における前記載置面に対する前記当接面の傾斜が前記第１回動規制手段の前記第１揃え位置における前記載置面に対する前記当接面の傾斜より小さく設定されることを特徴とする、
請求項１又は請求項２に記載の媒体揃え装置。
【請求項４】
前記第１回動規制手段と前記第２回動規制手段とは、前記第２回動規制手段が前記第２待機位置にある際に互いの前記当接面の背面が当接し、
前記収容部は、深さが前記第１回動規制手段及び前記第２回動規制手段の厚みと同等に設定されることを特徴とする、
請求項１乃至請求項３のいずれか１項に記載の媒体揃え装置。
【請求項５】
前記収容部は、前記第１回動規制手段及び前記第２回動規制手段を収容する本体部と、前記本体部の端部壁面に形成された押陥部を有することを特徴とする、
請求項１乃至請求項４のいずれか１項に記載の媒体揃え装置。
【請求項６】
前記第１回動規制手段と前記第２回動規制手段とを相対的に回動自在に係合する係合部と、前記第２回動規制手段が前記第１回動規制手段に対して相対的に所定角度以上前記排出部側に回動した際に、前記第１回動規制手段に設けられる第１当接部と前記第２回動規制手段に設けられる第２当接部とが当接して前記係合部による係合を解除する係合解除部とを備えることを特徴とする、
請求項１乃至請求項５のいずれか１項に記載の媒体揃え装置。
【請求項７】
原稿台上に配置された原稿を開閉自在な原稿カバーにより覆って前記原稿の画像を読み取るフラットベッド型画像読取機構と、積層されたシート状の原稿を連続的に自動給紙し画像を読み取り前記原稿カバー上の載置面に排出する自動給紙型読取機構とを一体的に組み付けることで構成される画像読取装置において、
前記原稿カバーは、前記載置面が形成されると共に該載置面に凹部状の収容部が形成されたカバー本体と、
前記カバー本体に前記原稿の排出方向に沿って回動自在に支持されると共に、前記載置面から突出して前記原稿を揃える第１揃え位置と、前記収容部に収容される第１待機位置との間を回動可能な第１回動規制手段と、
前記第１回動規制手段に前記原稿の排出方向に沿って回動自在に支持されると共に、前記第１回動規制手段が前記第１待機位置にある際に、前記排出方向に対して前記第１待機位置より上流側で前記載置面から突出して前記原稿を揃える第２揃え位置と、前記収容部に収容される第２待機位置との間を回動可能な第２回動規制手段とを備えることを特徴とする、
画像読取装置。
【発明の詳細な説明】
【技術分野】
【０００１】
本発明は、媒体揃え装置及び画像読取装置に関し、特に、フラットベッド型画像読取機構と自動給紙型読取機構（ＡＤＦ：Ａｕｔｏ  Ｄｏｃｕｍｅｎｔ  Ｆｅｅｄｅｒ）とを一体的に組み付けることで構成される画像読取装置に適用して好適な媒体揃え装置及び画像読取装置に関するものである。
【背景技術】
【０００２】
イメージスキャナ、複写機、ファクシミリ、文字認識装置などに適用される従来の画像読取装置として、例えば、本や雑誌など媒体を原稿台の上に配置して、媒体に対してラインイメージセンサを移動させることで当該媒体の画像情報を読み取るフラットベッド型画像読取機構を備えた画像読取装置と、積層されたシート状の媒体を連続的に給紙し、固定されたラインイメージセンサに対して媒体を移動させることで当該媒体の画像情報を読み取る自動給紙型読取機構（ＡＤＦ：Ａｕｔｏ  Ｄｏｃｕｍｅｎｔ  Ｆｅｅｄｅｒ）とを備えた画像読取装置とがある。フラットベッド型の画像読取装置は、原稿台上に媒体を配置し、原稿台に対して開閉自在に設けられる原稿押さえカバーによって媒体を覆って画像を読み取ることから、本や雑誌などのように比較的厚みのある媒体を読み取ることができる。一方、ＡＤＦ型の画像読取装置は、積層された媒体を１枚ずつ分離して連続的に自動給紙して、画像の読み取り処理を行うことができることから、大量のシート状の媒体を自動的に搬送して読み取ることができる。また、このようなＡＤＦ型の画像読取装置は、複数サイズの媒体に対応できるものもある。
【０００３】
そして、フラットベッド型画像読取機構と自動給紙型読取機構とを両方備えた従来の画像読取装置として、例えば、特許文献１に記載の画像読取装置は、自動給紙型原稿読取機構の原稿搬送先がフラットベッド型原稿読取機構の原稿押さえカバー上になるように、当該自動給紙型原稿読取機構が配設されている。そして、この原稿押さえカバーに原稿搬送方向に沿った溝が形成され、この溝の側壁には係止用部が設けられる。さらに、この溝の係止用部に係止する係止部を有するとともに、この溝をガイドにして原稿搬送方向に移動可能となる基体部材と、この基体部材から直立する直立部材とを持つストッパ部材を備える。そして、この画像読取装置は、ストッパ部材をフラットベッド型原稿読取機構の持つ原稿押さえカバーの溝に挿入することで、原稿サイズに合わせてストッパ部材を原稿搬送方向に沿った溝を移動させることができる。これにより、自動給紙型原稿読取機構から排紙される原稿のサイズに応じてストッパ部材を原稿搬送方向に移動させ、原稿をこのストッパ部材により原稿押さえカバー上の所定位置に揃えることで、この原稿押さえカバーをいわゆるスタッカとして機能させることができるようになり、この結果、装置の小型化を実現している。
【０００４】
【特許文献１】特許第３４７９４７１号公報
【発明の開示】
【発明が解決しようとする課題】
【０００５】
しかしながら、上述した特許文献１に記載された画像読取装置では、溝を原稿搬送方向に移動可能なストッパ部材が原稿押さえカバーの原稿載置面上に常に飛び出た状態となっていることから、さらなる美的外観の向上が望まれていたばかりでなく、例えば、フラットベッド型原稿読取機構の使用時において原稿押さえカバーを開閉する際に、このストッパ部材が邪魔になり利用者による原稿の配置動作を阻害してしまったり、出っ張りにものが引っ掛かったりするおそれがあった。
【０００６】
そこで本発明は、排出される媒体を媒体サイズに応じて適正に揃えることができると共に、不使用時には揃え部材を適正に格納することができる媒体揃え装置及び画像読取装置を提供することを目的とする。
【課題を解決するための手段】
【０００７】
上記目的を達成するために、請求項１に係る発明による媒体揃え装置は、排出部から排出される複数サイズの媒体を載置面上の前記サイズに応じた所定位置に揃える媒体揃え装置において、前記載置面が形成されると共に該載置面に凹部状の収容部が形成された載置手段と、前記載置手段に前記媒体の排出方向に沿って回動自在に支持されると共に、前記載置面から突出して前記媒体を揃える第１揃え位置と、前記収容部に収容される第１待機位置との間を回動可能な第１回動規制手段と、前記第１回動規制手段に前記媒体の排出方向に沿って回動自在に支持されると共に、前記第１回動規制手段が前記第１待機位置にある際に、前記排出方向に対して前記第１待機位置より上流側で前記載置面から突出して前記媒体を揃える第２揃え位置と、前記収容部に収容される第２待機位置との間を回動可能な第２回動規制手段とを備えることを特徴とする。
【０００８】
請求項２に係る発明による媒体揃え装置では、前記第１回動規制手段は、前記載置手段に支持にされる基端部を回動中心として回動する一方、前記第２回動規制手段は、前記第１回動規制手段の先端部に支持される基端部を回動中心として回動し、前記第１回動規制手段及び前記第２回動規制手段は、ともに板状に形成され、前記回動中心が前記排出方向に直交する方向に沿った水平な回動軸線をなすことを特徴とする。
【０００９】
請求項３に係る発明による媒体揃え装置では、前記第１回動規制手段の前記第１揃え位置及び前記第２回動規制手段の前記第２揃え位置は、前記媒体と当接する当接面がともに前記排出部に対向する位置に設定され、前記第２回動規制手段の前記第２揃え位置における前記載置面に対する前記当接面の傾斜が前記第１回動規制手段の前記第１揃え位置における前記載置面に対する前記当接面の傾斜より小さく設定されることを特徴とする。
【００１０】
請求項４に係る発明による媒体揃え装置では、前記第１回動規制手段と前記第２回動規制手段とは、前記第２回動規制手段が前記第２待機位置にある際に互いの前記当接面の背面が当接し、前記収容部は、深さが前記第１回動規制手段及び前記第２回動規制手段の厚みと同等に設定されることを特徴とする。
【００１１】
請求項５に係る発明による媒体揃え装置では、前記収容部は、前記第１回動規制手段及び前記第２回動規制手段を収容する本体部と、前記本体部の端部壁面に形成された押陥部を有することを特徴とする。
【００１２】
請求項６に係る発明による媒体揃え装置では、前記第１回動規制手段と前記第２回動規制手段とを相対的に回動自在に係合する係合部と、前記第２回動規制手段が前記第１回動規制手段に対して相対的に所定角度以上前記排出部側に回動した際に、前記第１回動規制手段に設けられる第１当接部と前記第２回動規制手段に設けられる第２当接部とが当接して前記係合部による係合を解除する係合解除部とを備えることを特徴とする。
【００１３】
上記目的を達成するために、請求項７に係る発明による画像読取装置は、原稿台上に配置された原稿を開閉自在な原稿カバーにより覆って前記原稿の画像を読み取るフラットベッド型画像読取機構と、積層されたシート状の原稿を連続的に自動給紙し画像を読み取り前記原稿カバー上の載置面に排出する自動給紙型読取機構とを一体的に組み付けることで構成される画像読取装置において、前記原稿カバーは、前記載置面が形成されると共に該載置面に凹部状の収容部が形成されたカバー本体と、前記カバー本体に前記原稿の排出方向に沿って回動自在に支持されると共に、前記載置面から突出して前記原稿を揃える第１揃え位置と、前記収容部に収容される第１待機位置との間を回動可能な第１回動規制手段と、前記第１回動規制手段に前記原稿の排出方向に沿って回動自在に支持されると共に、前記第１回動規制手段が前記第１待機位置にある際に、前記排出方向に対して前記第１待機位置より上流側で前記載置面から突出して前記原稿を揃える第２揃え位置と、前記収容部に収容される第２待機位置との間を回動可能な第２回動規制手段とを備えることを特徴とする。
【発明の効果】
【００１４】
請求項１の発明の媒体揃え装置によれば、排出部から排出される媒体が、例えば、大型媒体である場合には、第１回動規制手段を第１待機位置から第１揃え位置まで回動し展開することで、この第１回動規制手段により、排出部から排出される大型媒体の下流側端部をガイドし載置面上の所定位置に載置することができるので、この大型媒体を順番が逆になったりすることなく揃えて積層させることができる。一方、排出部から排出される媒体が、例えば、小型媒体である場合には、第１回動規制手段が第１待機位置にある状態で第２回動規制手段を第２待機位置から第２揃え位置まで回動し展開することで、第１回動規制手段の第１揃え位置よりも排出部側に近接した位置で第２回動規制手段に排出部から排出された小型媒体が当接するので、載置面上の所定位置にこの小型媒体を揃えて積層させることができる。そして、第１回動規制手段及び第２回動規制手段を使用しない際には、第１回動規制手段及び第２回動規制手段をそれぞれ待機位置に回動し、収容部に収容し格納することで、媒体揃え装置全体として、載置面に出っ張りがなく、溝部が極めて少ないフラットな平板状となることから、その外観としてまとまりのある形状となり美的外観をよくすることができ、第１回動規制手段及び第２回動規制手段が邪魔になることを防止することができる。この結果、排出される媒体を媒体サイズに応じて適正に揃えることができると共に、不使用時には揃え部材としての第１回動規制手段及び第２回動規制手段を適正に格納することができる。
【００１５】
請求項２の発明の媒体揃え装置によれば、第１回動規制手段が載置手段に支持にされる基端部を回動中心として回動する一方、第２回動規制手段が第１回動規制手段の先端部に支持される基端部を回動中心として回動すると共に、この第１回動規制手段及び第２回動規制手段が板状に形成され、回動中心が幅方向に沿って水平な回動軸線をなすことから、第１回動規制手段の第１揃え位置及び第２回動規制手段の第２揃え位置を適正な位置に設定することができると共に、第１回動規制手段及び第２回動規制手段にて媒体に当接する面を広く確保することができるので、媒体をより揃え易くすることができる。
【００１６】
請求項３の発明の媒体揃え装置によれば、第１回動規制手段の当接面により、排出部から排出される大型媒体の下流側端部をガイドし当接面及び載置面上の所定位置に載置することができる。一方、第１回動規制手段の当接面よりも傾斜角度が小さい第２回動規制手段の当接面に排出部から排出された小型媒体が当接するので、媒体自体の自重が比較的小さく排出の際に飛ばされ易い小型媒体をこの第２回動規制手段によりしっかり停止させることができる。
【００１７】
請求項４の発明の媒体揃え装置によれば、第１回動規制手段と第２回動規制手段とが収容部に収容される際には、互いの背面が当接し折り重なるように収容部に収容されることから、よりコンパクトな構成とすることができる。このとき、収容部の深さが第１回動規制手段及び第２回動規制手段の厚みと同等に設定されていることから、第２回動規制手段の当接面と載置手段の載置面とがほぼ同一平面となり、媒体揃え装置全体として、フラットな平板状とすることができると共に、媒体揃え装置全体の厚みを比較的薄くすることができる。
【００１８】
請求項５の発明の媒体揃え装置によれば、第１回動規制手段及び第２回動規制手段を収容する収容部本体部に隣接するように押陥部が設けられることから、第１回動規制手段を第１待機位置から第１揃え位置まで回動し展開する際、第２回動規制手段を第２待機位置から第２揃え位置まで回動し展開する際には、利用者はこの押陥部に指を挿入し、この第２回動規制手段の幅方向両端部をつまんで引き起こすことができるので、第１回動規制手段、第２回動規制手段を容易に揃え位置に展開することができる。
【００１９】
請求項６の発明の媒体揃え装置によれば、第２回動規制手段が第１回動規制手段に対して相対的に所定角度以上排出部側に回動した際に、第１当接部と第２当接部とが当接しさらに回動を続けることで、第２当接部と第１当接部とがテコのように作用することで、係合部による第２回動規制手段と第１回動規制手段との係合が解除され、第２回動規制手段が第１回動規制手段からはずれるから、第２回動規制手段に対して過度な力が作用しても第２回動規制手段や第１回動規制手段の損傷を防止することができる。
【００２０】
請求項７の発明の画像読取装置によれば、フラットベッド型画像読取機構と自動給紙型読取機構とを両方備えることから、本や雑誌などのように比較的厚みのある原稿を読み取ることができる共に、大量のシート状の原稿を自動的に搬送して読み取ることができる。そして、このフラットベッド型画像読取機構の原稿カバーを自動給紙型読取機構のスタッカとして兼用していることから、この画像読取装置をコンパクトな構成とすることができる。このとき、この原稿カバーがカバー本体に対して回転自在に設けられる第１回動規制手段と、第１回動規制手段に対して回転自在に設けられる第２回動規制手段としての第２回動規制手段とを備えると共に、不使用時にはこの第１回動規制手段及び第２回動規制手段を収容し格納する収容部を備えることから、排出される原稿を原稿サイズに応じて適正に揃えることができると共に、不使用時には揃え部材としての第１回動規制手段及び第２回動規制手段を適正に格納することができる。
【発明を実施するための最良の形態】
【００２１】
以下に、本発明に係る画像読取装置の実施例を図面に基づいて詳細に説明する。なお、この実施例によりこの発明が限定されるものではない。また、下記実施例における構成要素には、当業者が置換可能かつ容易なもの、或いは実質的に同一のものが含まれる。
【実施例】
【００２２】
図１は、本発明の実施例に係る画像読取装置の構成を示す斜視図、図２は、本発明の実施例に係る画像読取装置の構成を示す側面図、図３は、本発明の実施例に係る画像読取装置が備える原稿カバーの構成を示す排紙方向断面図、図４は、本発明の実施例に係る画像読取装置が備える原稿カバーの構成を示す部分斜視図である。
【００２３】
また、図５−１は、本発明の実施例に係る画像読取装置の原稿カバーが備えるカバー本体の平面図、図５−２は、本発明の実施例に係る画像読取装置の原稿カバーが備えるカバー本体の図５−１に示すＡ−Ａ断面図、図５−３は、本発明の実施例に係る画像読取装置の原稿カバーが備えるカバー本体の斜視図、図５−４は、本発明の実施例に係る画像読取装置の原稿カバーが備えるカバー本体の図５−３に示すＢ部の部分斜視図である。
【００２４】
また、図６−１は、本発明の実施例に係る画像読取装置の原稿カバーが備える大ストッパの平面図、図６−２は、本発明の実施例に係る画像読取装置の原稿カバーが備える大ストッパの図６−１に示すＣ−Ｃ断面図、図６−３は、本発明の実施例に係る画像読取装置の原稿カバーが備える大ストッパの図６−１に示すＤ部の部分側面図、図６−４は、本発明の実施例に係る画像読取装置の原稿カバーが備える大ストッパの図６−１に示すＥ−Ｅ部分断面図、図６−５は、本発明の実施例に係る画像読取装置の原稿カバーが備える大ストッパの斜視図である。
【００２５】
また、図７−１は、本発明の実施例に係る画像読取装置の原稿カバーが備える小ストッパの平面図、図７−２は、本発明の実施例に係る画像読取装置の原稿カバーが備える小ストッパの側面図、図７−３は、本発明の実施例に係る画像読取装置の原稿カバーが備える小ストッパの図７−２に示すＦ部の部分側面図、図７−４は、本発明の実施例に係る画像読取装置の原稿カバーが備える小ストッパの図７−１に示すＧ−Ｇ部分断面図、図７−５は、本発明の実施例に係る画像読取装置の原稿カバーが備える小ストッパの斜視図である。
【００２６】
さらに、図８は、本発明の実施例に係る画像読取装置の小ストッパ展開時の斜視図、図９は、本発明の実施例に係る画像読取装置の小ストッパ展開時の側面図、図１０は、本発明の実施例に係る画像読取装置が備える原稿カバーの小ストッパ展開時の排紙方向断面図、図１１は、本発明の実施例に係る画像読取装置が備える原稿カバーの小ストッパ展開時の部分斜視図、図１２は、本発明の実施例に係る画像読取装置の大ストッパ展開時の斜視図、図１３は、本発明の実施例に係る画像読取装置の大ストッパ展開時の側面図、図１４は、本発明の実施例に係る画像読取装置が備える原稿カバーの大ストッパ展開時の排紙方向断面図、図１５は、本発明の実施例に係る画像読取装置が備える原稿カバーの大ストッパ展開時の部分斜視図である。
【００２７】
以下、本発明の実施例に係る媒体揃え装置としての原稿カバー１００は、図１、図２に示すように、いわゆる、フラットベッド型画像読取機構２（以下、単に「フラットベッド機構２」と略記する。）と、自動給紙型読取機構３（ＡＤＦ：Ａｕｔｏ  Ｄｏｃｕｍｅｎｔ  Ｆｅｅｄｅｒ、以下、単に「ＡＤＦ機構３」と略記する。）とが一体的に組み付けることで構成され、例えば、イメージスキャナ、複写機、ファクシミリ、文字認識装置などに用いられる画像読取装置１に適用した場合で説明するが、これに限らず、排紙される複数サイズの媒体を載置面上の所定位置に揃える種々の装置に適用可能である。
【００２８】
フラットベッド機構２は、例えば、本や雑誌など媒体としての原稿を原稿台の上に配置して、原稿に対して光学読取ユニットをなすラインイメージセンサを移動させることで当該原稿の画像情報を読み取るものである。フラットベッド機構２は、原稿台上に媒体を配置し、原稿台に対して開閉自在に設けられる原稿カバー１００により配置された原稿を覆って、この原稿の画像を読み取る。したがって、本や雑誌などのように比較的厚みのある媒体を読み取ることができる。
【００２９】
具体的には、フラットベッド機構２は、内部に光学読取ユニット（不図示）が設けられる装置筐体２１と、原稿カバー１００とを備える。このフラットベッド機構２の装置筐体２１は、上面の中央開口部にガラス板などからなる透明原稿台が設けられ、この透明原稿台上に載置された原稿を透明原稿台の下方を走行する光学読取ユニットにより読み取る。
【００３０】
この光学読取ユニットは、原稿の画像を読み取るものであり、光源、イメージセンサ、レンズなどを備える。光学読取ユニットは、透明原稿台に配置される原稿に向けて光源から光を照射し、原稿で反射されレンズで集束された反射光をイメージセンサにより電気信号に変換することで、原稿の画像を読み取ることができる。原稿カバー１００は、装置筐体２１の上面の透明原稿台に対向して設けられ、図２に一点鎖線で示すように、支点部１１２を回動中心として装置筐体２１に対して開閉自在にこの装置筐体２１に取り付けられている。フラットベッド機構２は、光学読取ユニットを副走査方向に一定速度で移動させながら順次画像を読み取る。なお、光学読取ユニットは、装置筐体２１に配置するキャリア軸上を移動して副走査方向に移動させる。また、光学読取ユニットは従動ローラを設けており、装置筐体２１に配置する従動レールに当接している。
【００３１】
したがって、フラットベッド機構２にて原稿の画像を読み取る際には、原稿を透明原稿台に配置した上で、この原稿カバー１００を透明原稿台に近接するように閉鎖状態として原稿を透明原稿台に密着させることで、原稿の折れや撓み等に起因して、読取時に原稿が透明原稿台から浮き上がるのを防止することができる。特に近年の画像読取装置では、装置の小型化のため光学読取ユニットの光学系に焦点距離の短いレンズが用いられており、原稿のわずかな浮き上がりによっても読取画像の鮮明度が大きく低下するため、上記のように原稿を確実に透明原稿台上に密着させることは、精度の高い読取画像を得るためには重要である。
【００３２】
一方、ＡＤＦ機構３は、積層されたシート状の原稿を連続的に給紙し、光学読取ユニットをなす固定されたラインイメージセンサに対して原稿を移動させることで当該原稿の画像を読み取るものである。ＡＤＦ機構３は、積層された原稿を１枚ずつ分離して連続的に自動給紙して、画像の読み取り処理を行う。したがって、大量の媒体を自動的に搬送して読取ることができる。また、このようなＡＤＦ機構３は、複数サイズの媒体に対応できるものもある。
【００３３】
具体的には、ＡＤＦ機構３は、内部に光学読取ユニット（不図示）が設けられる装置筐体３１と、給紙部３２と、排出部としての排紙部３３とを備える。給紙部３２は、シート状の原稿を装置筐体３１内に設けられた搬送部（不図示）に給紙するものであり、シュータ３２ａ、ピックローラ（不図示）、分離パッド（不図示）などを備える。給紙部３２は、回転駆動するピックローラによりシュータ３２ａ上積層された所定のサイズのシート状の原稿を給送すると共に、分離パッドにより１枚ずつ分離して搬送部に自動で給紙することができる。この給紙部３２は、複数種類のサイズの原稿に対応しており、すなわち、複数種類のサイズの原稿を搬送部に給紙することができる。
【００３４】
搬送部は、一端部から給紙された原稿を他端部に設けられた排紙部３３まで搬送するものであり、回転駆動可能な駆動ローラ、駆動ローラ側に付圧されこの駆動ローラに従動して回転可能な付圧ローラ、搬送経路に沿って設けられるガイド（不図示）などを備える。搬送部は、駆動ローラの外周面と付圧ローラの外周面との間に原稿を挟持すると共に、駆動ローラが回転駆動することで、給紙部３２から１枚ずつ給紙される複数種類のサイズの原稿を排紙部３３までガイドにより案内しながら搬送することができる。光学読取ユニットは、この搬送部の搬送経路中に固定的に設けられており、搬送部によって搬送される原稿の画像を読み取るものであり、上述したフラットベッド機構２の光学読取ユニットと同様に、搬送部により搬送される原稿に向けて光源から光を照射し、原稿で反射されレンズで集束された反射光をイメージセンサにより電気信号に変換することで、原稿の画像を読み取ることができる。
【００３５】
排紙部３３は、原稿を装置筐体３１の外部に排紙（排出）するものであり、装置筐体３１に形成された排紙開口３３ａを備える。排紙部３３は、搬送部により搬送され、光学読取ユニットにて画像が読み取られた原稿をこの排紙開口３３ａを介して装置筐体３１の内側から外側に排紙することができる。
【００３６】
さらに、このＡＤＦ機構３は、上述したフラットベッド機構２の原稿カバー１００を、いわゆるスタッカとして兼用している。すなわち、排紙部３３は、原稿を原稿カバー１００の上面に形成される載置面１１１（透明原稿台と対向する面の背面）に排紙し積層する。したがって、フラットベッド機構２の原稿カバー１００の上面をＡＤＦ機構３の排紙部３３から排紙された原稿の載置面１１１とすることで、この原稿カバー１００をＡＤＦ機構３のスタッカとして兼用することができる。
【００３７】
上記のように構成される画像読取装置１は、フラットベッド機構２とＡＤＦ機構３とを両方備えることから、本や雑誌などのように比較的厚みのある原稿を読み取ることができる共に、大量のシート状の原稿を自動的に搬送して読み取ることができる。すなわち、フラットベッド機構２にて、透明原稿台上に原稿を配置し、透明原稿台に対して開閉自在に設けられる原稿カバー１００により原稿を覆って画像を読み取ることから、本や雑誌などのように比較的厚みのある媒体を読み取ることができる。一方、ＡＤＦ機構３にて、積層されたシート状の原稿を給紙部３２により１枚ずつ分離して連続的に自動給紙して、画像を読み取ることができることから、大量の媒体を自動的に搬送して読み取ることができる。そして、フラットベッド機構２の原稿カバー１００の上面をＡＤＦ機構３の排紙部３３から排紙された原稿の載置面１１１とすることで、画像が読み取られた原稿は、排紙部３３から載置面１１１に排紙され、そこで積層される。この結果、この原稿カバー１００をＡＤＦ機構３のスタッカとして兼用することができ、よって、画像読取装置１の小型化を実現するができる。
【００３８】
ここで、本実施例の画像読取装置１が備える原稿カバー１００は、図３、図４に示すように、カバー本体１１０に対して第１回動規制手段としての大ストッパ１５０を回転自在に設けると共に、大ストッパ１５０に対して第２回動規制手段としての小ストッパ１７０を回転自在に設けることで、排紙部３３から排紙される原稿を原稿サイズに応じて適正に揃えると共に、不使用時には揃え部材としての大ストッパ１５０、小ストッパ１７０を適正に格納している。
【００３９】
原稿カバー１００は、載置手段としてのカバー本体１１０と、第１回動規制手段としての大ストッパ１５０と、第２回動規制手段としての小ストッパ１７０と備える。カバー本体１１０は、上述したように、その上面が排紙部３３から排紙された原稿が積層される載置面１１１として形成されると共に、支点部１１２を介してＡＤＦ機構３側で装置筐体２１に回動自在に支持されている。
【００４０】
具体的には、カバー本体１１０は、図５−１、図５−２、図５−３、図５−４に示すように、装置筐体２１に取り付けられた状態で排出方向としての排紙方向が長手方向となるような略長方形の板状に形成される。カバー本体１１０は、長方形の一辺の両端部に左右一対の支点部１１２が設けられている。カバー本体１１０は、この支点部１１２が設けられている側（図５−１中向かって上側）が排紙方向上流側となる。各支点部１１２は、カバー本体１１０を装置筐体２１に係合するための係合軸部１１３が設けられている。各係合軸部１１３は、その中心軸線が排紙方向に水平に直交する方向（以下、「幅方向」という。）に沿って設定され、カバー本体１１０は、この係合軸部１１３が装置筐体２１側に設けられた係合穴（不図示）に係合されることで、上述のように装置筐体２１に対して回動自在に取り付けられる。したがって、このカバー本体１１０は、係合軸部１１３の中心軸線が回動軸線をなし、すなわち、その回動軸線が排紙方向に直交する幅方向に沿って設定される。なお、カバー本体１１０は、長方形において支点部１１２が設けられる辺と対向する辺、すなわち、排紙方向下流側の辺に利用者のハンドリング箇所となるハンドリング部１１４が設けられている。さらに、カバー本体１１０は、載置面１１１に有底の凹部状の収容部１３０が形成されている。
【００４１】
収容部１３０は、載置面１１１のほぼ中央に形成されている。この収容部１３０は、本体部としての収容部本体部１３１と、押陥部としてのストッパ起こし用指窪み１３２を有する。収容部本体部１３１は、後述する大ストッパ１５０及び小ストッパ１７０を収容する部分であり、カバー本体１１０が装置筐体２１に取り付けられた状態で、排紙方向が長手方向となるような略長方形の溝部として形成される。また、収容部本体部１３１は、その深さが後述する大ストッパ１５０及び小ストッパ１７０の厚みの和と同等に設定される。ストッパ起こし用指窪み１３２は、収容部本体部１３１の幅方向両端部壁面に左右一対の凹部状に形成される。ストッパ起こし用指窪み１３２は、それぞれ収容部本体部１３１における排紙方向上流側の端部に設けられる。
【００４２】
さらに、収容部１３０は、収容部本体部１３１における排紙方向下流側の端部に、収容部凹部１３３、収容部傾斜壁部１３４、収容部突起部１３５、収容部係合穴１３６、収容部突条部１３７が設けられる。収容部凹部１３３は、後述する大ストッパ１５０の回動を阻害しないように、収容部本体部１３１の排紙方向下流側の端部底部に幅方向に沿って凹部状に設けられる。収容部傾斜壁部１３４は、収容部凹部１３３の排紙方向下流側の壁面であり、この収容部凹部１３３の底部から排紙方向下流側に傾斜して設けられる。収容部突起部１３５は、収容部凹部１３３の排紙方向上流側の壁面から収容部傾斜壁部１３４側に突出するように設けられる。この収容部突起部１３５は、収容部凹部１３３の壁面の幅方向一端部に１つ設けられている。収容部係合穴１３６は、収容部凹部１３３の幅方向両壁面に左右一対で設けられる。各収容部係合穴１３６は、収容部本体部１３１の深さ方向に沿った長穴として形成され、後述する大ストッパ１５０の大ストッパ係合軸突起部１５５（図６−１参照）がそれぞれ係合される。収容部突条部１３７は、収容部本体部１３１の底部において、長方形の排紙方向下流側の壁面から上流側に向かって延設された直線状の突出部として形成される。収容部突条部１３７は、幅方向に対して収容部本体部１３１のほぼ中央に設けられる。
【００４３】
大ストッパ１５０は、図６−１、図６−２、図６−３、図６−４、図６−５に示すように、カバー本体１１０に取り付けられた状態で排紙方向が長手方向となるような略長方形の板状に形成される。大ストッパ１５０は、収容部１３０の収容部本体部１３１より少しだけ小さい大きさに形成される。大ストッパ１５０は、一方の面が排紙された原稿と当接可能な当接面としての大ストッパ当接面１５１をなすと共に、他方の面が大ストッパ１５０及び小ストッパ１７０を収容部１３０に収容した状態で当該小ストッパ１７０と当接可能な背面１５２をなす。また、大ストッパ１５０は、大ストッパ当接面１５１側が若干窪むように湾曲して形成される。そして、この大ストッパ１５０は、基端部１５３がカバー本体１１０に支持され、この基端部１５３を回動中心として原稿の排紙方向に沿って回動自在に設けられる。また、大ストッパ１５０は、基端部１５３と対向する先端部１５４に後述する小ストッパ１７０が回動自在に設けられる。
【００４４】
具体的には、大ストッパ１５０は、基端部１５３側の端部に、大ストッパ係合軸突起部１５５、スリット１５６が設けられる。大ストッパ係合軸突起部１５５は、基端部１５３側の一辺の両端部に左右一対で設けられる。各大ストッパ係合軸突起部１５５は、その中心軸線が幅方向に沿って設定される。そして、大ストッパ１５０は、この大ストッパ係合軸突起部１５５がカバー本体１１０側に設けられた収容部１３０の収容部係合穴１３６（図５−４参照）にそれぞれ係合されることで、上述のようにカバー本体１１０に対して回動自在に取り付けられる。言い換えれば、収容部係合穴１３６と大ストッパ係合軸突起部１５５とは、大ストッパ１５０をカバー本体１１０に対して相対的に回動自在に係合する大ストッパ係合部１５７（図３、図４等参照）をなす。したがって、この大ストッパ１５０は、大ストッパ係合軸突起部１５５の中心軸線が回動軸線をなし、すなわち、その回動軸線が排紙方向に直交する幅方向に沿って設定される。スリット１５６は、大ストッパ１５０において、基端部１５３側の一辺から先端部１５４側に向かって、上述の収容部突条部１３７よりも少しだけ短い長さで延設して形成される。スリット１５６は、幅方向に対して大ストッパ１５０のほぼ中央に設けられる。
【００４５】
なお、この大ストッパ係合軸突起部１５５には、図６−３に示すように、それぞれ軸線方向端面にテーパ１５５ａが形成されている。これにより、この大ストッパ係合軸突起部１５５をテーパ１５５ａによりガイドするように収容部係合穴１３６に挿入、係合することで、大ストッパ１５０をカバー本体１１０に容易に取り付けることができる。
【００４６】
したがって、大ストッパ１５０は、大ストッパ係合部１５７により、図３、図４に示す第１待機位置と、図１４、図１５に示す第１揃え位置との間で回動可能にカバー本体１１０に支持される。大ストッパ１５０の第１待機位置とは、この大ストッパ１５０が収容部１３０の収容部本体部１３１に収容される位置である（図３、図４参照）。このとき、大ストッパ１５０は、この収容部本体部１３１より少しだけ小さい大きさに形成されることから、収容部本体部１３１にほぼ隙間なく収容される。大ストッパ１５０は、この第１待機位置にて収容部１３０の収容部本体部１３１に収容された状態で、基端部１５３が排紙方向下流側に位置する一方、先端部１５４が排紙方向上流側に位置する。またこのとき、スリット１５６に収容部１３０の収容部突条部１３７（図５−１参照）が挿入、係合されることで、大ストッパ１５０が収容部本体部１３１に収容された状態で、この大ストッパ１５０のスリット１５６を成形する後部と収容部本体部１３１との隙間に原稿が入ることを防止することができる。
【００４７】
一方、大ストッパ１５０の第１揃え位置とは、この大ストッパ１５０がカバー本体１１０の載置面１１１から突出して排紙部３３から排紙される原稿に大ストッパ当接面１５１が当接する位置である（図１４、図１５参照）。そして、大ストッパ１５０が図３、図４で示す第１待機位置から１２０度程度回動し第１揃え位置に展開される際には、背面１５２が収容部傾斜壁部１３４（図５−４参照）に当接するとともに、基端部１５３の縁が収容部突起部１３５（図５−４参照）に当接することで、この大ストッパ１５０は所定の揃え位置に停止、位置決めされる。
【００４８】
さらに、この大ストッパ１５０は、先端部１５４側の端部に、大ストッパ凹部１５８、大ストッパ係合穴１５９、大ストッパ突起部１６０、大ストッパ嵌合穴１６１、後述する係合解除部としての小ストッパ係合解除部１８０をなす第１当接部としての係合解除突起部１６２が設けられる。大ストッパ凹部１５８は、後述する小ストッパ１７０の回動を阻害しないように、大ストッパ１５０の先端部１５４側の端部に幅方向に沿って凹部状に設けられる。大ストッパ係合穴１５９は、大ストッパ凹部１５８の幅方向両壁面に左右一対で設けられる。各大ストッパ係合穴１５９は、ほぼ真円の穴として形成され、後述する小ストッパ１７０の小ストッパ係合軸突起部１７５（図７−１参照）がそれぞれ係合される。大ストッパ突起部１６０は、大ストッパ凹部１５８の基端部１５３側の縁部にて大ストッパ当接面１５１から突出するように設けられる。大ストッパ突起部１６０は、幅方向に沿って直線状に設けられると共に、幅方向に対して大ストッパ１５０のほぼ中央に設けられる。大ストッパ嵌合穴１６１は、図６−１、図６−２、図６−５に示すように、大ストッパ凹部１５８の底部において、基端部１５３側の壁面に沿って凹部状に形成される。大ストッパ嵌合穴１６１は、排紙方向に対して大ストッパ突起部１６０と隣接するように設けられており、幅方向に沿って直線状に設けられると共に、幅方向に対して大ストッパ１５０のほぼ中央に設けられる。係合解除突起部１６２は、図６−４、図６−５に示すように、大ストッパ凹部１５８の基端部１５３とは反対側の縁部に、幅方向に沿って直線状に設けられる。係合解除突起部１６２は、幅方向両端部に左右一対で設けられ、共に大ストッパ当接面１５１に向かって突出するように設けられる。
【００４９】
小ストッパ１７０は、図７−１、図７−２、図７−３、図７−４、図７−５に示すように、大ストッパ１５０に取り付けられた状態で幅方向が長手方向となるような略長方形の板状に形成される。小ストッパ１７０は、幅方向の長さが大ストッパ１５０の幅方向の長さとほぼ等しい長さに設定される。小ストッパ１７０は、一方の面が排紙された原稿と当接可能な当接面としての小ストッパ当接面１７１をなすと共に、他方の面が大ストッパ１５０及び小ストッパ１７０を収容部１３０に収容した状態で当該大ストッパ１５０の背面１５２と当接可能な背面１７２をなす。そして、この小ストッパ１７０は、基端部１７３が大ストッパ１５０の先端部１５４支持され、この基端部１７３を回動中心として原稿の排紙方向に沿って回動自在に設けられる。また、小ストッパ１７０は、基端部１５３と対向する先端部１７４が自由端として設けられる。
【００５０】
具体的には、小ストッパ１７０は、基端部１７３側の端部に、小ストッパ係合軸突起部１７５が設けられる。小ストッパ係合軸突起部１７５は、大ストッパ係合穴１５９と共に係合部としての小ストッパ係合部１７６をなす。さらに、小ストッパ１７０は、小ストッパ嵌合穴１７７（図７−４参照）、小ストッパ突起部１７８、第２当接部としての小ストッパ解除当接部１７９（図７−３、図７−４参照）が設けられる。小ストッパ解除当接部１７９は、係合解除突起部１６２と共に小ストッパ係合解除部１８０をなす。
【００５１】
小ストッパ係合軸突起部１７５は、基端部１７３側の一辺の両端部に左右一対で設けられる。各小ストッパ係合軸突起部１７５は、その中心軸線が幅方向に沿って設定される。そして、小ストッパ１７０は、この小ストッパ係合軸突起部１７５が大ストッパ１５０側に設けられた大ストッパ係合穴１５９（図６−４、図６−５参照）にそれぞれ係合されることで、上述のように大ストッパ１５０の先端部１５４に対して回動自在に取り付けられる。言い換えれば、大ストッパ係合穴１５９と小ストッパ係合軸突起部１７５とは、小ストッパ１７０を大ストッパ１５０に対して相対的に回動自在に係合する小ストッパ係合部１７６（図３、図４等参照）をなす。したがって、この小ストッパ１７０は、小ストッパ係合軸突起部１７５の中心軸線が回動軸線をなし、すなわち、その回動軸線が排紙方向に直交する幅方向に沿って設定される。
【００５２】
なお、ここでも、この小ストッパ係合軸突起部１７５には、図７−３に示すように、それぞれ軸線方向端面にテーパ１７５ａが形成されている。これにより、この小ストッパ係合軸突起部１７５をテーパ１７５ａによりガイドするように大ストッパ係合穴１５９に挿入、係合することで、小ストッパ１７０を大ストッパ１５０に容易に取り付けることができる。
【００５３】
小ストッパ嵌合穴１７７は、図７−４に示すように、小ストッパ１７０における背面１７２の基端部１７３側の縁部にて、背面１７２に対して凹部状に設けられている。小ストッパ嵌合穴１７７は、幅方向に沿って上述の大ストッパ突起部１６０よりも少しだけ太い直線状に設けられる。小ストッパ嵌合穴１７７は、大ストッパ１５０及び小ストッパ１７０を収容部１３０に収容した状態で、この大ストッパ突起部１６０に嵌合するように、幅方向に対して小ストッパ１７０のほぼ中央に設けられる（図３参照）。小ストッパ突起部１７８は、図７−１、図７−３、図７−４、図７−５に示すように、小ストッパ１７０の基端部１７３側の端面において、背面１７２がさらに外側に突出するように形成される。小ストッパ突起部１７８は、幅方向に沿って上述の大ストッパ嵌合穴１６１よりも少しだけ細い直線状に設けられる。さらに、小ストッパ突起部１７８は、小ストッパ１７０が大ストッパ１５０に対して９０度程度回動した状態において、この大ストッパ嵌合穴１６１に嵌合するように、幅方向に対して小ストッパ１７０のほぼ中央に設けられる（図１０参照）。
【００５４】
小ストッパ解除当接部１７９は、図７−３に示すように、小ストッパ１７０の基端部１７３側の端面において、小ストッパ突起部１７８の小ストッパ当接面１７１側が段落ちしたような曲面部として形成される。小ストッパ解除当接部１７９は、一対の小ストッパ係合軸突起部１７５の間に幅方向に沿って延設されている。この小ストッパ解除当接部１７９は、大ストッパ１５０の係合解除突起部１６２（図６−４、図６−５）と共に小ストッパ係合解除部１８０をなす。この小ストッパ係合解除部１８０は、小ストッパ１７０が大ストッパ１５０に対して相対的に所定角度以上前記排紙部３３側に回動した際に、大ストッパ１５０の先端部１５４に設けられる係合解除突起部１６２と小ストッパ１７０の基端部１７３に設けられる小ストッパ解除当接部１７９とが当接することで、小ストッパ係合部１７６による係合を解除するものである。
【００５５】
したがって、小ストッパ１７０は、小ストッパ係合部１７６により、図３、図４に示す第２待機位置と、図１０、図１１に示す第２揃え位置との間で回動可能に大ストッパ１５０に支持される。小ストッパ１７０の第２待機位置とは、小ストッパ１７０の背面１７２と大ストッパ１５０の背面１５２とが互いに当接する位置であり、さらに言えば、大ストッパ１５０が上述した第１待機位置にある際に、大ストッパ１５０と共にこの小ストッパ１７０が収容部１３０の収容部本体部１３１に収納されうる位置である（図３、図４参照）。このとき、大ストッパ１５０は、大ストッパ当接面１５１側が若干窪むように湾曲して形成されていることから、小ストッパ１７０が第２待機位置にある際には、小ストッパ１７０は、この湾曲に沿うように位置する。そして、上述したように、収容部本体部１３１の深さが大ストッパ１５０及び小ストッパ１７０の厚みの和と同等に設定されていることから、この大ストッパ１５０及び小ストッパ１７０は、収容部本体部１３１の中にちょうど収まるように格納される。すなわち、小ストッパ１７０の小ストッパ当接面１７１とカバー本体１１０の載置面１１１とがほぼ同一平面となり、原稿カバー１００全体として、フラットな平板状となる。また、カバー本体１１０は、大ストッパ１５０及び小ストッパ１７０を収容部本体部１３１に収容可能な厚み、すなわち、大ストッパ１５０、小ストッパ１７０及び収容部本体部１３１の底部の厚みの和に相当する厚みで済むことから、その厚みを比較的薄くすることができる。
【００５６】
さらに、大ストッパ１５０が第１待機位置にて収容部１３０の収容部本体部１３１に収容されると共に、小ストッパ１７０の第２待機位置にて背面１７２と背面１５２とが互いに当接する状態で、小ストッパ１７０は、基端部１７３が排紙方向上流側に位置する一方、先端部１７４が排紙方向下流側に位置する。またこのとき、小ストッパ１７０は、第２待機位置にて背面１７２と背面１５２とが互いに当接する状態で、排紙方向に対して大ストッパ係合部１５７より上流側に位置すると共に、大ストッパ１５０の大ストッパ突起部１６０（図６−１参照）が小ストッパ嵌合穴１７７に嵌合し係合されることで、この小ストッパ１７０の幅方向のぐらつきを防止することができる。
【００５７】
一方、小ストッパ１７０の第２揃え位置とは、大ストッパ１５０が第１待機位置にある際に、排紙方向に対して大ストッパ１５０の回動中心、すなわち、大ストッパ係合部１５７より上流側で載置面１１１から突出して排紙部３３から排紙される原稿に小ストッパ当接面１７１が当接する位置である（図１０、図１１参照）。そして、この小ストッパ１７０が図３、図４に示す第２待機位置から大ストッパ１５０に対して９０度程度回動し第２揃え位置に展開される際には、小ストッパ突起部１７８が大ストッパ１５０の大ストッパ嵌合穴１６１（図６−１参照）に嵌合し係合することで、この小ストッパ１７０は所定の揃え位置に停止、位置決めされる。
【００５８】
なお、この小ストッパ１７０が図１０、図１１に示す第２揃え位置から、大ストッパ１５０に対してさらに排紙方向上流側に回動した際に、大ストッパ１５０の先端部１５４に設けられる係合解除突起部１６２（図６−１参照）と小ストッパ１７０の基端部１７３に設けられる小ストッパ解除当接部１７９とが当接しさらに回動を続けることで、小ストッパ解除当接部１７９と係合解除突起部１６２とがテコのように作用することで、小ストッパ係合軸突起部１７５が大ストッパ係合穴１５９から引きはずされ、小ストッパ係合部１７６による小ストッパ１７０と大ストッパ１５０との係合が解除される。すなわち、小ストッパ１７０が大ストッパ１５０からはずれる。これにより、この小ストッパ１７０に対して排紙方向上流側に向かって過度な力が作用した場合に、この小ストッパ１７０が大ストッパ１５０から容易にはずれることから、小ストッパ１７０や大ストッパ１５０の損傷を未然に防止することができる。なお、小ストッパ１７０が大ストッパ１５０からはずれてしまっても、上述したように、この小ストッパ係合軸突起部１７５をテーパ１７５ａによりガイドするように大ストッパ係合穴１５９に挿入、係合することで、小ストッパ１７０を大ストッパ１５０に容易に取り付けることができる。
【００５９】
なお、大ストッパ１５０の第１揃え位置及び小ストッパ１７０の第２揃え位置は、上述したように、大ストッパ当接面１５１、小ストッパ当接面１７１がともに排紙部３３に対向する位置に設定され、小ストッパ１７０の第２揃え位置（図１０、図１１参照）における載置面１１１に対する小ストッパ当接面１７１の傾斜が大ストッパ１５０の第１揃え位置（図１４、図１５参照）における載置面１１１に対する大ストッパ当接面１５１の傾斜より小さく設定される。すなわち、ここでは、図１０に示すように、小ストッパ１７０の第２揃え位置における載置面１１１に対する小ストッパ当接面１７１の傾斜角θ１（排紙部３３側の角度）は、９０度程度に設定される一方、図１４に示すように、大ストッパ１５０の第１揃え位置における載置面１１１に対する大ストッパ当接面１５１の傾斜角θ２（排紙部３３側の角度）は、１２０度程度に設定される。
【００６０】
上記のように構成される画像読取装置１は、フラットベッド機構２により原稿の画像を読み取る際には、図１乃至図４に示すように、小ストッパ１７０及び大ストッパ１５０を共に待機位置に設定し、収容部本体部１３１に収容し格納する。これにより、小ストッパ１７０の小ストッパ当接面１７１とカバー本体１１０の載置面１１１とがほぼ同一平面となり、原稿カバー１００全体として、載置面１１１に出っ張りのないフラットな平板状となることから、その外観としてまとまりのある形状となり美的外観をよくすることができる。そして、フラットベッド機構２の透明原稿台上に原稿を配置したり取り除いたりするために原稿カバー１００を開閉する際には、揃え部材としての小ストッパ１７０及び大ストッパ１５０が収容部１３０の収容部本体部１３１に適正に格納されていることから、小ストッパ１７０及び大ストッパ１５０が邪魔になることが防止され、利用者による原稿の配置動作を阻害したり、出っ張りに引っ掛かったりすることを防止することができる。また、小ストッパ１７０及び大ストッパ１５０を共に待機位置に設定し、収容部本体部１３１に収容し格納した状態で、ＡＤＦ機構３により原稿の画像を読みとる場合でも、原稿カバー１００の載置面１１１の溝部（例えば、ストッパ起こし用指窪み１３２）の面積が最小限に押さえられていることから、例えば、排紙部３３からは排紙された原稿が溝部に引っかかって損傷することを抑制することができる。また、このとき、小ストッパ１７０及び大ストッパ１５０とは、互いの背面１５２、１７２が当接し折り重なるように収容部本体部１３１に収容されることから、コンパクトな構成とすることができる。
【００６１】
そして、ＡＤＦ機構３により原稿の画像を読み取る際には、図８乃至図１１、又は、図１２乃至図１５に示すように、給紙部３２から自動給紙される原稿のサイズに応じて大ストッパ１５０又は小ストッパ１７０を揃え位置に展開することで、原稿カバー１００により排紙部３３から排紙される原稿をこの原稿のサイズに応じて適正に揃えて積層することができる。
【００６２】
すなわち、給紙部３２に配置された原稿が、例えば、Ａ８からＡ６サイズの用紙や名刺などの比較的に小型な原稿である場合には、図８乃至図１１に示すように、小ストッパ１７０を第２待機位置から第２揃え位置（傾斜角θ１が９０度程度になる位置）まで回動し展開する。ここで、例えば、このＡＤＦ機構３の光学読取ユニットによる画像の読み取り解像度が低い場合には、これに伴ってのＡＤＦ機構３の搬送部による搬送速度がはやくなり、したがって、排紙部３３からの原稿の排紙速度も比較的速くなる。また、比較的に小型な原稿は、原稿自体の自重も小さいため、排紙部３３から排紙される際に排紙の勢いでそのまま飛ばされ易い。しかしながら、ここでは、小ストッパ１７０の第２揃え位置にて、大ストッパ１５０の第１揃え位置よりも排紙部３３側に近接して載置面１１１から突出する小ストッパ１７０の小ストッパ当接面１７１に排紙部３３から排紙された小型原稿が当接することで、排紙の勢いでそのまま飛ばされることを防止することができる。そして、この小ストッパ１７０により排紙部３３から排紙される小型原稿をしっかり停止させることで、載置面１１１上の小ストッパ１７０より上流側の所定位置にこの小型原稿を揃えて積層させることができる。
【００６３】
一方、給紙部３２に配置された原稿が、例えば、Ａ４／Ｌｅｔｔｅｒサイズの用紙などの比較的に大型な原稿である場合には、図１２乃至図１５に示すように、大ストッパ１５０を第１待機位置から第１揃え位置（傾斜角θ２が１２０度程度になる位置）まで回動し展開する。ここでは、大型原稿は、原稿自体の自重が比較的大きいため、小型原稿のように排紙部３３から排紙される際に排紙の勢いでそのまま飛ばされにくいことから、傾斜角θ２を９０度程度に設定する必要はなく、原稿の排紙方向下流側端部が大ストッパ１５０の大ストッパ当接面１５１に載置される程度であれば十分である。そして、この大ストッパ１５０により、排紙部３３から排紙される大型原稿の下流側端部をガイドし大ストッパ当接面１５１及び載置面１１１上の所定位置に載置することで、この大型原稿を順番が逆になったりすることなく揃えて積層させることができる。この結果、原稿カバー１００により排紙部３３から排紙される原稿をこの原稿のサイズに応じて適正に揃えて積層することができる。
【００６４】
なお、大ストッパ１５０を第１待機位置から第１揃え位置まで回動し展開する際、小ストッパ１７０を第２待機位置から第２揃え位置まで回動し展開する際には、利用者は収容部本体部１３１の幅方向両側方に設けられたストッパ起こし用指窪み１３２に指を挿入し、この大ストッパ１５０、小ストッパ１７０の幅方向両端部をつまんで引き起こすことができるので、大ストッパ１５０、小ストッパ１７０を容易に揃え位置に展開することができる。
【００６５】
以上で説明した本発明の実施例に係る原稿カバー１００によれば、排紙部３３から排紙される複数サイズの原稿を載置面１１１上のサイズに応じた所定位置に揃える原稿カバー１００において、載置面１１１が形成されると共にこの載置面１１１に凹部状の収容部１３０が形成されたカバー本体１１０と、カバー本体１１０に原稿の排紙方向に沿って回動自在に支持されると共に、載置面１１１から突出して原稿を揃える第１揃え位置と、収容部１３０に収容される第１待機位置との間を回動可能な大ストッパ１５０と、大ストッパ１５０に原稿の排紙方向に沿って回動自在に支持されると共に、大ストッパ１５０が第１待機位置にある際に、排紙方向に対して第１待機位置より上流側で載置面１１１から突出して原稿を揃える第２揃え位置と、収容部１３０に収容される第２待機位置との間を回動可能な小ストッパ１７０とを備える。
【００６６】
したがって、排紙部３３から排紙される原稿が大型原稿である場合には、大ストッパ１５０を第１待機位置から第１揃え位置まで回動し展開することで、この大ストッパ１５０により、排紙部３３から排紙される大型原稿の下流側端部をガイドし載置面１１１上の所定位置に載置することができるので、この大型原稿を順番が逆になったりすることなく揃えて積層させることができる。一方、排紙部３３から排紙される原稿が小型原稿である場合には、大ストッパ１５０が第１待機位置にある状態で小ストッパ１７０を第２待機位置から第２揃え位置まで回動し展開することで、大ストッパ１５０の第１揃え位置よりも排紙部３３側に近接した位置で小ストッパ１７０に排紙部３３から排紙された小型原稿が当接するので、載置面１１１上の所定位置にこの小型原稿を揃えて積層させることができる。そして、大ストッパ１５０及び小ストッパ１７０を使用しない際には、大ストッパ１５０及び小ストッパ１７０をそれぞれ待機位置に回動し、収容部１３０の収容部本体部１３１に収容し格納することで、原稿カバー１００全体として、載置面１１１に出っ張りがなく、溝部が極めて少ないフラットな平板状となることから、その外観としてまとまりのある形状となり美的外観をよくすることができ、大ストッパ１５０及び小ストッパ１７０が邪魔になることを防止することができる。この結果、排紙される原稿を原稿サイズに応じて適正に揃えることができると共に、不使用時には揃え部材としての大ストッパ１５０及び小ストッパ１７０を適正に格納することができる。
【００６７】
さらに、以上で説明した本発明の実施例に係る原稿カバー１００によれば、大ストッパ１５０は、カバー本体１１０に支持にされる基端部１５３を回動中心として回動する一方、小ストッパ１７０は、大ストッパ１５０の先端部１５４に支持される基端部１７３を回動中心として回動し、大ストッパ１５０及び小ストッパ１７０は、ともに板状に形成され、回動中心が排紙方向に直交する幅方向に沿った水平な回動軸線をなす。したがって、大ストッパ１５０がカバー本体１１０に支持にされる基端部１５３を回動中心として回動する一方、小ストッパ１７０が大ストッパ１５０の先端部１５４に支持される基端部１７３を回動中心として回動すると共に、大ストッパ１５０及び小ストッパ１７０が板状に形成され、回動中心が幅方向に沿って水平な回動軸線をなすことから、大ストッパ１５０の第１揃え位置及び小ストッパ１７０の第２揃え位置を適正な位置に設定することができると共に、大ストッパ１５０及び小ストッパ１７０にて原稿に当接する大ストッパ当接面１５１、小ストッパ当接面１７１を広く確保することができるので、原稿をより揃え易くすることができる。
【００６８】
さらに、以上で説明した本発明の実施例に係る原稿カバー１００によれば、大ストッパ１５０の第１揃え位置及び小ストッパ１７０の第２揃え位置は、原稿と当接する大ストッパ当接面１５１、小ストッパ当接面１７１がともに排紙部３３に対向する位置に設定され、小ストッパ１７０の第２揃え位置における載置面１１１に対する小ストッパ当接面１７１の傾斜が大ストッパ１５０の第１揃え位置における載置面１１１に対する大ストッパ当接面１５１の傾斜より小さく設定される。したがって、この大ストッパ１５０の大ストッパ当接面１５１により、排紙部３３から排紙される大型原稿の下流側端部をガイドし大ストッパ当接面１５１及び載置面１１１上の所定位置に載置することができる。一方、大ストッパ当接面１５１よりも傾斜角度が小さい小ストッパ当接面１７１に排紙部３３から排紙された小型原稿が当接するので、原稿自体の自重が比較的小さく排紙の際に飛ばされ易い小型原稿をこの小ストッパ１７０によりしっかり停止させることができる。
【００６９】
さらに、以上で説明した本発明の実施例に係る原稿カバー１００によれば、大ストッパ１５０と小ストッパ１７０とは、小ストッパ１７０が第２待機位置にある際に互いの大ストッパ当接面１５１、小ストッパ当接面１７１の背面１５２、１７２が当接し、収容部１３０は、深さが大ストッパ１５０及び小ストッパ１７０の厚みと同等に設定される。したがって、大ストッパ１５０と小ストッパ１７０とが収容部１３０に収容される際には、互いの背面１５２、１７２が当接し折り重なるように収容部１３０に収容されることから、よりコンパクトな構成とすることができる。このとき、収容部１３０の深さが大ストッパ１５０及び小ストッパ１７０の厚みと同等に設定されていることから、小ストッパ１７０の小ストッパ当接面１７１とカバー本体１１０の載置面１１１とがほぼ同一平面となり、原稿カバー１００全体として、フラットな平板状とすることができると共に、原稿カバー１００全体の厚みを比較的薄くすることができる。
【００７０】
さらに、以上で説明した本発明の実施例に係る原稿カバー１００によれば、収容部１３０は、大ストッパ１５０及び小ストッパ１７０を収容する収容部本体部１３１と、収容部本体部１３１の端部壁面に形成されたストッパ起こし用指窪み１３２を有する。したがって、大ストッパ１５０及び小ストッパ１７０を収容する収容部本体部１３１に隣接するようにストッパ起こし用指窪み１３２が設けられることから、大ストッパ１５０を第１待機位置から第１揃え位置まで回動し展開する際、小ストッパ１７０を第２待機位置から第２揃え位置まで回動し展開する際には、利用者はこのストッパ起こし用指窪み１３２に指を挿入し、この小ストッパ１７０の幅方向両端部をつまんで引き起こすことができるので、大ストッパ１５０、小ストッパ１７０を容易に揃え位置に展開することができる。
【００７１】
さらに、以上で説明した本発明の実施例に係る原稿カバー１００によれば、大ストッパ１５０の先端部１５４と小ストッパ１７０の基端部１７３とを相対的に回動自在に係合する小ストッパ係合部１７６と、小ストッパ１７０が大ストッパ１５０に対して相対的に所定角度以上排紙部３３側に回動した際に、大ストッパ１５０の先端部１５４に設けられる係合解除突起部１６２と小ストッパ１７０の基端部１７３に設けられる小ストッパ解除当接部１７９とが当接して小ストッパ係合部１７６による係合を解除する小ストッパ係合解除部１８０とを備える。したがって、小ストッパ１７０が大ストッパ１５０に対して相対的に所定角度以上排紙部３３側に回動した際に、係合解除突起部１６２と小ストッパ解除当接部１７９とが当接しさらに回動を続けることで、小ストッパ解除当接部１７９と係合解除突起部１６２とがテコのように作用することで、小ストッパ係合軸突起部１７５が大ストッパ係合穴１５９から引きはずされ、小ストッパ係合部１７６による小ストッパ１７０と大ストッパ１５０との係合が解除され、小ストッパ１７０が大ストッパ１５０からはずれるので、小ストッパ１７０に対して過度な力が作用しても小ストッパ１７０や大ストッパ１５０の損傷を防止することができる。
【００７２】
以上で説明した本発明の実施例に係る画像読取装置１によれば、原稿台上に配置された原稿を開閉自在な原稿カバー１００により覆って原稿の画像を読み取るフラットベッド機構２と、積層されたシート状の原稿を連続的に自動給紙し画像を読み取り原稿カバー１００上の載置面１１１に排紙するＡＤＦ機構３とを一体的に組み付けることで構成される画像読取装置１において、原稿カバー１００は、載置面１１１が形成されると共にこの載置面１１１に凹部状の収容部１３０が形成されたカバー本体１１０と、カバー本体１１０に原稿の排紙方向に沿って回動自在に支持されると共に、載置面１１１から突出して原稿を揃える第１揃え位置と、収容部１３０に収容される第１待機位置との間を回動可能な大ストッパ１５０と、大ストッパ１５０に原稿の排紙方向に沿って回動自在に支持されると共に、大ストッパ１５０が第１待機位置にある際に、排紙方向に対して第１待機位置より上流側で載置面１１１から突出して原稿を揃える第２揃え位置と、収容部１３０に収容される第２待機位置との間を回動可能な小ストッパ１７０とを備える。
【００７３】
したがって、フラットベッド機構２とＡＤＦ機構３とを両方備えることから、本や雑誌などのように比較的厚みのある原稿を読み取ることができる共に、大量のシート状の原稿を自動的に搬送して読み取ることができる。そして、このフラットベッド機構２の原稿カバー１００を、ＡＤＦ機構３のスタッカとして兼用していることから、画像読取装置１をコンパクトな構成とすることができる。このとき、この原稿カバー１００がカバー本体１１０に対して回転自在に設けられる大ストッパ１５０と、大ストッパ１５０に対して回転自在に設けられる第２回動規制手段としての小ストッパ１７０とを備えると共に、不使用時にはこの大ストッパ１５０及び小ストッパ１７０を収容し格納する収容部１３０を備えることから、排紙される原稿を原稿サイズに応じて適正に揃えることができると共に、不使用時には揃え部材としての大ストッパ１５０及び小ストッパ１７０を適正に格納することができる。
【００７４】
なお、上述した本発明の実施例に係る媒体揃え装置及び画像読取装置は、上述した実施例に限定されず、特許請求の範囲に記載された範囲で種々の変更が可能である。以上の説明では、媒体揃え装置は、フラットベット型画像読取機構と自動給紙型読取機構とが一体的に組み付けることで構成され、例えば、イメージスキャナ、複写機、ファクシミリ、文字認識装置などに用いられる画像読取装置に適用した場合で説明したが、これに限らず、排紙される複数サイズの媒体を載置面上の所定位置に揃える種々の装置に適用可能である。以上の説明では、自動給紙型読取機構は、フラットベット型画像読取機構の原稿カバーを媒体揃え装置として兼用するものとして説明したがこれに限らない。
【００７５】
以上の説明では、押陥部としてのストッパ起こし用指窪み１３２は、収容部本体部１３１の幅方向両端部壁面に左右一対の凹部状に形成されるものとして説明したが、例えば、大ストッパ１５０や小ストッパ１７０自体にくぼみを設けるようにしてもよい。また、以上の説明では、大ストッパ１５０の先端部１５４と小ストッパ１７０の基端部１７３とを相対的に回動自在に係合する係合部としての小ストッパ係合部１７６は、大ストッパ１５０側に設けられる大ストッパ係合穴１５９と小ストッパ１７０側に設けられる小ストッパ係合軸突起部１７５とにより構成されるものとして説明したが、これに限らず、例えば、小ストッパ１７０側に係合穴を設け、大ストッパ１５０側に軸突起部を設けるようにしてもよい。また、第２回動規制手段の先端部側にさらに第３回動規制手段を設けるようにしてもよい。また、前記第２回動規制手段は、前記第１回動規制手段の先端部に支持される基端部を回動中心として回動するものとして説明したが、これに限らず、前記第１回動規制手段に排出方向に沿って回動自在に支持されていればよく、媒体のサイズに応じて基端部の位置を変えてもよい。
【産業上の利用可能性】
【００７６】
以上のように、本発明に係る媒体揃え装置及び画像読取装置は、排出部から排出される原稿を原稿サイズに応じて適正に揃えると共に、不使用時には揃え部材を適正に格納するものであり、種々の媒体揃え装置及び画像読取装置に適用して好適である。
【図面の簡単な説明】
【００７７】
【図１】本発明の実施例に係る画像読取装置の構成を示す斜視図である。
【図２】本発明の実施例に係る画像読取装置の構成を示す側面図である。
【図３】本発明の実施例に係る画像読取装置が備える原稿カバーの構成を示す排紙方向断面図である。
【図４】本発明の実施例に係る画像読取装置が備える原稿カバーの構成を示す部分斜視図である。
【図５−１】本発明の実施例に係る画像読取装置の原稿カバーが備えるカバー本体の平面図である。
【図５−２】本発明の実施例に係る画像読取装置の原稿カバーが備えるカバー本体の図５−１に示すＡ−Ａ断面図である。
【図５−３】本発明の実施例に係る画像読取装置の原稿カバーが備えるカバー本体の斜視図である。
【図５−４】本発明の実施例に係る画像読取装置の原稿カバーが備えるカバー本体の図５−３に示すＢ部の部分斜視図である。
【図６−１】本発明の実施例に係る画像読取装置の原稿カバーが備える大ストッパの平面図である。
【図６−２】本発明の実施例に係る画像読取装置の原稿カバーが備える大ストッパの図６−１に示すＣ−Ｃ断面図である。
【図６−３】本発明の実施例に係る画像読取装置の原稿カバーが備える大ストッパの図６−１に示すＤ部の部分側面図である。
【図６−４】本発明の実施例に係る画像読取装置の原稿カバーが備える大ストッパの図６−１に示すＥ−Ｅ部分断面図である。
【図６−５】本発明の実施例に係る画像読取装置の原稿カバーが備える大ストッパの斜視図である。
【図７−１】本発明の実施例に係る画像読取装置の原稿カバーが備える小ストッパの平面図である。
【図７−２】本発明の実施例に係る画像読取装置の原稿カバーが備える小ストッパの側面図である。
【図７−３】本発明の実施例に係る画像読取装置の原稿カバーが備える小ストッパの図７−２に示すＦ部の部分側面図である。
【図７−４】本発明の実施例に係る画像読取装置の原稿カバーが備える小ストッパの図７−１に示すＧ−Ｇ部分断面図である。
【図７−５】本発明の実施例に係る画像読取装置の原稿カバーが備える小ストッパの斜視図である。
【図８】本発明の実施例に係る画像読取装置の小ストッパ展開時の斜視図である。
【図９】本発明の実施例に係る画像読取装置の小ストッパ展開時の側面図である。
【図１０】本発明の実施例に係る画像読取装置が備える原稿カバーの小ストッパ展開時の排紙方向断面図である。
【図１１】本発明の実施例に係る画像読取装置が備える原稿カバーの小ストッパ展開時の部分斜視図である。
【図１２】本発明の実施例に係る画像読取装置の大ストッパ展開時の斜視図である。
【図１３】本発明の実施例に係る画像読取装置の大ストッパ展開時の側面図である。
【図１４】本発明の実施例に係る画像読取装置が備える原稿カバーの大ストッパ展開時の排紙方向断面図である。
【図１５】本発明の実施例に係る画像読取装置が備える原稿カバーの大ストッパ展開時の部分斜視図である。
【符号の説明】
【００７８】
１    画像読取装置
２    フラットベッド機構（フラットベッド型画像読取機構）
３    ＡＤＦ機構（自動給紙型読取機構）
３２    給紙部
３３    排紙部（排出部）
１００    原稿カバー（媒体揃え装置）
１１０    カバー本体（載置手段）
１１１    載置面
１３０    収容部
１３１    収容部本体部（本体部）
１３２    ストッパ起こし用指窪み（押陥部）
１５０    大ストッパ（第１回動規制手段）
１５１    大ストッパ当接面（当接面）
１５２    背面
１５３    基端部
１５４    先端部
１５９    大ストッパ係合穴
１６２    係合解除突起部（第１当接部）
１７０    小ストッパ（第２回動規制手段）
１７１    小ストッパ当接面（当接面）
１７２    背面
１７３    基端部
１７４    先端部
１７５    小ストッパ係合軸突起部
１７６    小ストッパ係合部（係合部）
１７９    小ストッパ解除当接部（第２当接部）
１８０    小ストッパ係合解除部（係合解除部）
【図１】
2008312043.tif 000003
【図２】
2008312043.tif 000004
【図３】
2008312043.tif 000005
【図４】
2008312043.tif 000006
【図５−１】
2008312043.tif 000007
【図５−２】
2008312043.tif 000008
【図５−３】
2008312043.tif 000009
【図５−４】
2008312043.tif 000010
【図６−１】
2008312043.tif 000011
【図６−２】
2008312043.tif 000012
【図６−３】
2008312043.tif 000013
【図６−４】
2008312043.tif 000014
【図６−５】
2008312043.tif 000015
【図７−１】
2008312043.tif 000016
【図７−２】
2008312043.tif 000017
【図７−３】
2008312043.tif 000018
【図７−４】
2008312043.tif 000019
【図７−５】
2008312043.tif 000020
【図８】
2008312043.tif 000021
【図９】
2008312043.tif 000022
【図１１】
2008312043.tif 000023
【図１２】
2008312043.tif 000024
【図１３】
2008312043.tif 000025
【図１４】
2008312043.tif 000026
【図１５】
2008312043.tif 000027
【図１０】
2008312043.tif 000028